(57)【要約】  本発明の実施形態に係るレンズ駆動装置（１０１）は、レンズ保持部材（２）と、コイル（３）と、磁石（５）とを備える。レンズ保持部材（２）は、コイル（３）の内周面と対向する外壁部に形成され且つコイル（３）の内周面から離れる方向へ窪んだ溝部（３０−６）を有する。溝部（３０−６）は、外壁部の光軸方向（ＪＤ）における一端部に開口を有するとともに、光軸方向（ＪＤ）と直交する断面における溝部（３０−６）の形成領域のうち、一端部から離れた断面での形成領域の少なくとも一部が、光軸方向（ＪＤ）において、一端部における断面での形成領域と重複しないように、連続して形成されている。そして、溝部（３０−６）に配置された接着剤（ＡＭ）によってコイル（３）とレンズ保持部材（２）とが固定されている。
2019058817.tif 000002
【特許請求の範囲】
【請求項１】
レンズ体を保持可能なレンズ保持部材と、
前記レンズ保持部材を収容する筐体と、
前記レンズ体の光軸方向に移動可能に前記レンズ保持部材を支持する板ばねと、
前記レンズ保持部材の周囲に固定されるコイルと、
前記コイルに対向して配置される磁石と、を備え、
前記レンズ保持部材は、
前記コイルの内周面と対向する外壁部と、
前記外壁部に形成されるとともに前記コイルの内周面から離れる方向へ窪んだ溝部と、を有し、
前記溝部は、前記外壁部の前記光軸方向における一端部に開口を有するとともに、前記光軸方向と直交する断面における前記溝部の形成領域のうち、前記一端部から離れた断面での形成領域の少なくとも一部が、前記光軸方向において、前記一端部における断面での形成領域と重複しないように、連続して形成されており、
前記溝部に配置された接着剤によって前記コイルと前記レンズ保持部材とが固定されている、
レンズ駆動装置。
【請求項２】
前記レンズ保持部材には、前記溝部を区切る壁部が形成され、
前記壁部は、少なくとも前記光軸方向に延びる第１壁部と、該第１壁部に繋がり且つ前記光軸方向と交差する方向に延びる第２壁部とを有する、
請求項１に記載のレンズ駆動装置。
【請求項３】
前記溝部は、階段状に形成されている、
請求項１又は２に記載のレンズ駆動装置。
【請求項４】
前記レンズ保持部材は、
外方へ突出する複数の第１規制部と、
前記光軸方向において前記第１規制部と対向する第２規制部と、を有し、
前記コイルは、前記第１規制部と前記第２規制部との間に巻かれており、
前記溝部の少なくとも一部は、前記第１規制部と前記第２規制部との間に位置している、
請求項１乃至３の何れかに記載のレンズ駆動装置。
【請求項５】
前記溝部は、前記開口の部分の深さが他の部分よりも深くなっている、
請求項１乃至４の何れかに記載のレンズ駆動装置。
【請求項６】
前記レンズ保持部材は、前記光軸方向と直交する方向に延びる平坦面を有し、
前記平坦面には、前記開口が露出している、
請求項１乃至５の何れかに記載のレンズ駆動装置。
【請求項７】
前記平坦面と前記コイルの一端面とが略同一平面上にある、
請求項６に記載のレンズ駆動装置。
【請求項８】
前記板ばねの一部は、前記光軸方向における前記レンズ保持部材の一端に取り付けられ、
前記コイルは、
前記レンズ保持部材の外周に位置する巻回部と、
前記板ばねに電気的に接続される接続部と、
前記巻回部と前記接続部との間に位置する延在部と、を有し、
前記溝部に配置された接着剤は、前記巻回部の巻き始め部分の少なくとも一部に付着している、
請求項１乃至７の何れかに記載のレンズ駆動装置。
【請求項９】
請求項１乃至８の何れかに記載のレンズ駆動装置と、
前記レンズ体と、
前記レンズ体に対向する撮像素子と、を有する、
カメラモジュール。
【請求項１０】
レンズ体を保持可能なレンズ保持部材と、前記レンズ保持部材を収容する筐体と、前記レンズ体の光軸方向に移動可能に前記レンズ保持部材を支持する板ばねと、前記レンズ保持部材の周囲に固定されるコイルと、前記コイルに対向して配置される磁石と、を備えるレンズ駆動装置の製造方法であって、
前記レンズ保持部材の外周に前記コイルの巻回部を位置付ける工程と、
前記コイルの内周面と対向する前記レンズ保持部材の外壁部に形成されるとともに前記コイルの内周面から離れる方向へ窪んだ溝部に接着剤を供給する工程と、
前記光軸方向と直交する断面における前記接着剤の断面形状のうち、前記溝部の開口から離れた断面での断面形状の少なくとも一部が、前記光軸方向において、前記開口における断面での断面形状と重複しないように前記接着剤を硬化させる工程と、を有する、
レンズ駆動装置の製造方法。
【発明の詳細な説明】
【技術分野】
【０００１】
本開示は、例えばカメラ付き携帯機器に搭載されるレンズ駆動装置、レンズ駆動装置を含むカメラモジュール、及び、レンズ駆動装置の製造方法に関する。
【背景技術】
【０００２】
従来、レンズホルダ（レンズ保持部材）と、レンズホルダの外周に配置されるコイルを含むレンズホルダ駆動装置が知られている（特許文献１参照。）。この装置では、コイルは、レンズホルダの筒状部の外周にある接着面で接着剤を用いて固定されている。接着面には接着剤で充填される剥離防止用溝が形成されている。剥離防止用溝は、光軸に平行な方向とは異なる方向に延在するように形成され、レンズホルダとコイルとの間の接着強度を高めるように構成されている。
【先行技術文献】
【特許文献】
【０００３】
【特許文献１】特開２０１３−７９９９号公報
【発明の概要】
【発明が解決しようとする課題】
【０００４】
しかしながら、接着面のうち剥離防止用溝に隣接する部分とコイルとの間の隙間は、必然的に、剥離防止用溝とコイルとの間の隙間よりも小さくなってしまう。そのため、上述の構成では、接着剤が剥離防止用溝に適切に充填されないおそれがある。その結果、レンズ保持部材とコイルとが接着剤で適切に固定されないおそれがある。【０００５】
上述に鑑み、レンズ保持部材とコイルとが接着剤でより適切に固定されるように構成されたレンズ駆動装置を提供することが望ましい。
【課題を解決するための手段】
【０００６】
本発明の実施形態に係るレンズ駆動装置は、レンズ体を保持可能なレンズ保持部材と、前記レンズ保持部材を収容する筐体と、前記レンズ体の光軸方向に移動可能に前記レンズ保持部材を支持する板ばねと、前記レンズ保持部材の周囲に固定されるコイルと、前記コイルに対向して配置される磁石と、を備え、前記レンズ保持部材は、前記コイルの内周面と対向する外壁部と、前記外壁部に形成されるとともに前記コイルの内周面から離れる方向へ窪んだ溝部と、を有し、前記溝部は、前記外壁部の前記光軸方向における一端部に開口を有するとともに、前記光軸方向と直交する断面における前記溝部の形成領域のうち、前記一端部から離れた断面での形成領域の少なくとも一部が、前記光軸方向において、前記一端部における断面での形成領域と重複しないように、連続して形成されており、前記溝部に配置された接着剤によって前記コイルと前記レンズ保持部材とが固定されている。
【発明の効果】
【０００７】
上述の手段により、レンズ保持部材とコイルとが接着剤でより適切に固定されるように構成されたレンズ駆動装置が提供される。
【図面の簡単な説明】
【０００８】
【図１】レンズ駆動装置の分解斜視図である。
【図２Ａ】レンズ駆動装置の上方斜視図である。
【図２Ｂ】レンズ駆動装置の正面図である。
【図３Ａ】レンズ駆動装置の上面図である。
【図３Ｂ】レンズ駆動装置の底面図である。
【図４Ａ】ヨーク及びスペーサが省略された状態にあるレンズ駆動装置の上方斜視図である。
【図４Ｂ】ヨーク及びスペーサが省略された状態にあるレンズ駆動装置の正面図である。
【図５Ａ】レンズ保持部材の上方斜視図である。
【図５Ｂ】コイルが巻き付けられたレンズ保持部材の上方斜視図である。
【図６Ａ】レンズ保持部材の下方斜視図である。
【図６Ｂ】コイルが巻き付けられたレンズ保持部材の下方斜視図である。
【図７Ａ】レンズ保持部材の上面図である。
【図７Ｂ】レンズ保持部材の側面図である。
【図８Ａ】レンズ保持部材の下方斜視図である。
【図８Ｂ】コイルが巻き付けられたレンズ保持部材の下方斜視図である。
【図９Ａ】レンズ保持部材の一部の拡大図である。
【図９Ｂ】レンズ保持部材の別の一部の拡大図である。
【図１０Ａ】一部の部材が省略された状態にあるレンズ駆動装置の底面図である。
【図１０Ｂ】一部の部材が省略された状態にあるレンズ駆動装置の底面図である。
【図１１Ａ】上側板ばねの上面図である。
【図１１Ｂ】下側板ばねの上面図である。
【図１２Ａ】レンズ駆動装置における板ばねとコイルとの接続状態を説明する図である。
【図１２Ｂ】レンズ駆動装置における板ばねとコイルとの接続状態を説明する図である。
【図１３Ａ】レンズ駆動装置のベース部材の上方斜視図である。
【図１３Ｂ】下側板ばねが取り付けられたベース部材の上方斜視図である。
【図１４Ａ】レンズ保持部材の上方斜視図である。
【図１４Ｂ】コイルが巻き付けられたレンズ保持部材の上方斜視図である。
【図１４Ｃ】接着剤の上方斜視図である。
【図１４Ｄ】接着剤の上面図と接着剤の複数の断面形状を表す図である。
【図１５Ａ】レンズ保持部材の上方斜視図である。
【図１５Ｂ】コイルが巻き付けられたレンズ保持部材の上方斜視図である。
【図１５Ｃ】コイルが巻き付けられたレンズ保持部材の下方斜視図である。
【図１６Ａ】コイルが巻き付けられたコイル支持部の上方斜視図である。
【図１６Ｂ】接着剤の上方斜視図である。
【図１６Ｃ】接着剤の上面図と接着剤の複数の断面形状を表す図である。
【発明を実施するための形態】
【０００９】
以下、本発明の実施形態に係るレンズ駆動装置１０１について図面を参照して説明する。図１は、レンズ駆動装置１０１の分解斜視図である。図２Ａは、レンズ駆動装置１０１の上方斜視図であり、図２Ｂは、Ｙ２側から見たレンズ駆動装置１０１の正面図である。図３Ａは、レンズ駆動装置１０１の上面図であり、図３Ｂは、レンズ駆動装置１０１の底面図である。図４Ａは、ヨーク４及びスペーサ１を省略した状態のレンズ駆動装置１０１の上方斜視図であり、図２Ａに対応する。図４Ｂは、ヨーク４及びスペーサ１を省略した状態のレンズ駆動装置１０１の正面図であり、図２Ｂに対応する。
【００１０】
レンズ駆動装置１０１は、図１に示すように、レンズ体（図示せず。）を保持可能なレンズ保持部材２と、レンズ保持部材２をレンズ体に関する光軸方向ＪＤ（Ｚ軸方向）に沿って移動させる駆動機構ＭＫと、レンズ保持部材２を光軸方向ＪＤに移動可能に支持する板ばね６と、板ばね６が固定される固定側部材ＲＧと、外部との電気的な接続をもたらす端子７とを含む。レンズ体は、例えば、少なくとも１枚のレンズを備えた筒状のレンズバレルであり、その中心軸線が光軸方向ＪＤに沿うように構成されている。光軸方向ＪＤは、レンズ体に関する光軸の方向、及び、光軸に平行な方向を含む。
【００１１】
駆動機構ＭＫは、図１に示すように、八角環状に巻かれたコイル３と、矩形箱状の外側ケースを兼ねたヨーク４と、コイル３の四辺と対向して配置された４つの磁石５とを含む。固定側部材ＲＧは、スペーサ１と、ヨーク４と、端子７が埋め込まれたベース部材１８とを含む。板ばね６は、レンズ保持部材２とヨーク４との間に配置される上側板ばね１６と、レンズ保持部材２とベース部材１８との間に配置される２つの下側板ばね２６Ａ、２６Ｂとを含む。
【００１２】
レンズ駆動装置１０１は、略直方体形状を有し、撮像素子（図示せず。）を実装した基板（図示せず。）の上に取り付けられる。基板と、レンズ駆動装置１０１と、レンズ保持部材２に装着されたレンズ体と、レンズ体に対向するように基板に実装された撮像素子とはカメラモジュールを構成する。コイル３は、下側板ばね２６Ａ、２６Ｂ、端子７及び基板を介して電源に接続される。コイル３に電流が流れると、駆動機構ＭＫは、光軸方向ＪＤに沿った電磁力を発生させる。
【００１３】
レンズ駆動装置１０１は、この電磁力を利用し、撮像素子のＺ１側（被写体側）で、光軸方向ＪＤに沿ってレンズ保持部材２を移動させる。レンズ駆動装置１０１は、撮像素子から離れる方向にレンズ保持部材２を移動させてマクロ撮影を可能にし、撮像素子に近づく方向にレンズ保持部材２を移動させて無限遠撮影を可能にしている。
【００１４】
次に、レンズ保持部材２と駆動機構ＭＫについて説明する。図５Ａは、レンズ保持部材２の上方斜視図であり、図５Ｂは、図５Ａのレンズ保持部材２にコイル３が巻かれた状態を示す上方斜視図である。図６Ａは、レンズ保持部材２の下方斜視図であり、図６Ｂは、図６Ａのレンズ保持部材２にコイル３が巻かれた状態を示す下方斜視図である。図７Ａは、レンズ保持部材２の上面図であり、図７Ｂは、Ｘ１側から見たレンズ保持部材２の側面図である。図８Ａは、レンズ保持部材２の下方斜視図であり、図８Ｂは、図８Ａに示すレンズ保持部材２にコイル３が巻かれた状態を示す下方斜視図である。図９Ａは、図８Ｂに示す部分Ｓの拡大図であり、図９Ｂは、図６Ｂに示す部分Ｐの拡大図である。図１０Ａは、端子７及びベース部材１８の図示が省略された状態のレンズ駆動装置１０１の底面図であり、図１０Ｂは、更に下側板ばね２６Ａ、下側板ばね２６Ｂ及びレンズ保持部材２の図示が省略された状態のレンズ駆動装置１０１の底面図である。
【００１５】
本実施形態では、レンズ保持部材２は、液晶ポリマー（ＬＣＰ）等の合成樹脂を射出成形することで作製されている。具体的には、レンズ保持部材２は、図５Ａに示すように、光軸方向ＪＤに沿って貫通されるように形成された筒状部１２と、光軸方向ＪＤにおける撮像素子側（Ｚ２側）に形成されたフランジ部（鍔部）５２とを含む。筒状部１２は、光軸方向ＪＤにおける被写体側（Ｚ１側）においては、円筒状に形成されている。
【００１６】
筒状部１２には、レンズ体が装着されるように、円筒状の内周面にねじ溝が設けられている。また、筒状部１２には、被写体側の端面に２つの窪み１２ｄｈを有した台座部１２ｄが光軸を挟んで２箇所に設けられている。台座部１２ｄには、図４Ａに示すように、上側板ばね１６の内側部分１６ｉが載置される。
【００１７】
筒状部１２の外周面には、図５Ａに示すように、コイル３を内側から支持する外壁部としてのコイル支持部１２ｊが設けられている。本実施形態では、コイル支持部１２ｊは、八角環状のコイル３を支持できるよう、上面視で八角形状の外形を有する。コイル支持部１２ｊの被写体側には、光軸方向ＪＤにおいてフランジ部５２と対向するように径方向外側に突出した庇部１２ｈ（図７Ａ及び図７Ｂ参照。）が４箇所形成されている。そして、図５Ｂに示すように、コイル３は、コイル支持部１２ｊに支持され且つ光軸方向ＪＤにおいて庇部１２ｈとフランジ部５２との間に挟まれるようにしてレンズ保持部材２の外周面側に八角環状に巻かれている。
【００１８】
フランジ部５２は、筒状部１２の撮像素子側（Ｚ２側）における外周面から径方向外側に突出している。フランジ部５２の被写体側にはコイル３が配置されている。フランジ部５２には、図６Ｂに示すように、レンズ体の光軸を挟んで切欠部５２ｋが２つ形成されている。そして、切欠部５２ｋの一方にはコイル３の巻き始め側の線材である延在部３３Ａが通され、切欠部５２ｋの他方にはコイル３の巻き終わり側の線材である延在部３３Ｂが通されている。切欠部５２ｋを形成するフランジ部５２の縁部は、湾曲するように構成されている。縁部と接するコイル３の線材が断線するのを防止し或いは抑制するためである。
【００１９】
フランジ部５２は、図６Ａに示すように、撮像素子側（Ｚ２側）の面から下方（Ｚ２方向）に突出した、角形凸状の２つの保持部７２と、丸形凸状の６つの突設部２ｔと、３つの壁部（内側壁部８２ｕ、外側壁部８２ｖ及び側壁部８２ｗ）で形成された２つの突堤部８２とを含む。
【００２０】
保持部７２は、図６Ｂに示すように、コイル３（巻回部１３）の巻き始め側に対応する保持部７２Ａと、コイル３の巻き終わり側に対応する保持部７２Ｂを含む。コイル３の両端は、保持部７２に巻き付けられて保持されている。
【００２１】
突設部２ｔは、図６Ａ及び図１０Ａに示すように、下側板ばね２６Ａに対応する３つの突設部２ｔと、下側板ばね２６Ｂに対応する３つ突設部２ｔとを含む。突設部２ｔには、下側板ばね２６Ａ及び下側板ばね２６Ｂのそれぞれの内側部分２６ｉが装着されて固定されている。下側板ばね２６Ａ及び下側板ばね２６Ｂのそれぞれの内側部分２６ｉの固定は、内側部分２６ｉに形成された貫通孔に挿通された突設部２ｔを熱かしめすることによって実現される。図６Ａ、図６Ｂ、図７Ｂ、図８Ａ、図８Ｂ、図９Ａ及び図１０Ａでは、突設部２ｔは、熱かしめされた後の先端が変形した状態で図示されている。
【００２２】
突堤部８２は、図６Ａに示すように、レンズ保持部材２の中心側に位置する内側壁部８２ｕと、内側壁部８２ｕと対向して外側に位置する外側壁部８２ｖと、保持部７２に近い側で内側壁部８２ｕと外側壁部８２ｖとの間に位置する側壁部８２ｗとを含む。保持部７２から遠い突堤部８２の側には、図９Ａに示すように、壁部が切り欠かれた開放部８２ｚが形成されている。そして、３つの壁部（内側壁部８２ｕ、外側壁部８２ｖ及び側壁部８２ｗ）で囲われた空間が収容部８２ｓを形成している。収容部８２ｓは、コイル３の延在部３３Ａ、３３Ｂと下側板ばね２６Ａ、２６Ｂとを接続する導電性接着剤を収容できるように構成されている。本実施形態では、突堤部８２が保持部７２と隣り合う位置に形成されているので、保持部７２の側壁は、突堤部８２の側壁部８２ｗとして好適に利用されている。したがって、保持部７２と隣り合う位置に収容部８２ｓが設けられている。
【００２３】
次に、レンズ駆動装置１０１の駆動機構ＭＫについて説明する。駆動機構ＭＫは、図１０Ｂに示すように、コイル３と、ヨーク４と、ヨーク４の四辺のそれぞれと対向するように配置された４つの磁石５とを含む。そして、駆動機構ＭＫは、コイル３に流れる電流と磁石５が発生する磁界とで駆動力（推力）を発生させ、レンズ保持部材２を光軸方向ＪＤに沿って上下に移動させる。
【００２４】
コイル３は、図６Ｂに示すように、レンズ保持部材２の外周に導電性の線材を巻回して形成されている。コイル３は、八角環状に巻かれて形成された巻回部１３と、巻回部１３から延びて保持部７２に巻き付けられる延在部３３とを含む。図６Ｂは、明瞭化のため、巻回部１３に関しては、絶縁部材で表面を被覆された導電性の線材の詳細な巻回状態の図示を省略している。巻回部１３を図示する他の図についても同様である。
【００２５】
延在部３３は、コイル３の巻き始め側で巻回部１３の内周側に位置する巻回部１３の端部（巻き始め部分）に繋がっている延在部３３Ａと、コイル３の巻き終わり側で巻回部１３の外周側に位置する巻回部１３の端部（巻き終わり部分）に繋がっている延在部３３Ｂとを含む。巻回部１３の巻き始め部分は、例えば、巻回部１３の一巻き目の部分のうち、八角環の最初の一辺に沿った部分（図８Ｂの部分Ｌ１参照。）である。或いは、巻回部１３の巻き始め部分は、巻回部１３の一巻き目の部分のうち、庇部１２ｈとフランジ部５２の間にある最初の部分（図８Ｂの部分Ｌ２参照。）であってもよく、例えば、線材が最初にコイル支持部１２ｊと接する部分のように、更に狭い部分であってもよい。巻回部１３の巻き終わり部分は、例えば、巻回部１３の最終巻き目の部分のうち、八角環の最後の一辺に沿った部分（図６Ｂの部分Ｌ３参照。）である。或いは、巻回部１３の巻き終わり部分は、巻回部１３の最終巻き目の部分のうち、庇部１２ｈとフランジ部５２の間にある最後の部分（図６Ｂの部分Ｌ４参照。）であってもよく、例えば、線材が巻回部１３を形成する隣接する線材と最後に接する部分のように、更に狭い部分であってもよい。
【００２６】
具体的には、延在部３３Ａは、図９Ａに示すように、保持部７２Ａに巻き付けられる巻き付け部３３ｍと、収容部８２ｓの内底面（Ｚ１側の面）と対向して延びかつ導電性接着剤を介して下側板ばね２６Ａに接続される接続部３３ｃと、切欠部５２ｋに挿通されてフランジ部５２の撮像素子側（Ｚ２側）から被写体側（Ｚ１側）に延びる挿通部３３ｋとを含む。延在部３３Ｂは、図９Ｂに示すように、保持部７２Ｂに巻き付けられる巻き付け部３３ｍと、収容部８２ｓの内底面（Ｚ１側の面）と対向して延びる接続部３３ｃと、切欠部５２ｋに挿通されてフランジ部５２の撮像素子側（Ｚ２側）から被写体側（Ｚ１側）に延びる挿通部３３ｋとを含む。
【００２７】
本実施形態では、延在部３３Ａは、コイル３の線材がレンズ保持部材２の外周に巻き付けられる前に、レンズ保持部材２の保持部７２Ａに巻き付けられる。図９Ａに示す例では、コイル３の線材の一部が保持部７２Ａに３ターン巻き付けられている。これにより、巻き付け部３３ｍが保持部７２Ａに形成され、延在部３３Ａの一部が保持部７２Ａに保持される。但し、延在部３３Ａは、コイル３の線材がレンズ保持部材２の外周に巻き付けられた後で、保持部７２Ａに巻き付けられてもよい。
【００２８】
次に、レンズ保持部材２の外周に線材が巻き付けられる。その際には、図９Ａに示すように、巻き付け部３３ｍから延びる線材は、収容部８２ｓの内底面と対向するとともに、壁部が切り欠かれた開放部８２ｚを通る。そして、線材は、フランジ部５２の下側から切欠部５２ｋを通ってフランジ部５２の上側に延びる。このとき、収容部８２ｓの内底面と対向する部分が延在部３３Ａの接続部３３ｃを構成し、切欠部５２ｋを通る部分が延在部３３Ａの挿通部３３ｋを構成する。
【００２９】
延在部３３Ａの挿通部３３ｋは、フランジ部５２の下側から上側に延びる際、図９Ａに示すように、フランジ部５２の縁部に接するように構成されている。そのため、落下等により強い衝撃がレンズ駆動装置１０１に加えられた際には、コイル３の延在部３３Ａはフランジ部５２の縁部に押し付けられる。本実施形態では、フランジ部５２の縁部は湾曲するように構成されている。そのため、延在部３３Ａは、フランジ部５２の縁部で切断され難い。延在部３３Ｂと接するフランジ部５２の縁部も湾曲するように構成されていてもよい。
【００３０】
レンズ保持部材２の外周に巻回されたコイル３の巻回部１３は、図５Ｂに示すように、レンズ保持部材２の周囲を囲む位置に配置されている。また、巻回部１３は、コイル支持部１２ｊ（図５Ａ参照。）により内側から支持された状態で、庇部１２ｈとフランジ部５２に挟まれるようにして、フランジ部５２の被写体側に固定されている。また、巻回部１３の内周面がコイル支持部１２ｊにより等方的にバランス良く支持されるため、巻回部１３は、コイル３の中心軸とレンズ保持部材２の中心軸とが一致した状態で、レンズ保持部材２に保持される。したがって、レンズ保持部材２に保持されたレンズ体の光軸は、レンズ保持部材２及びコイル３のそれぞれの中心軸と容易に一致するように構成されている。
【００３１】
レンズ保持部材２の外周への線材の巻き付けが終了すると、巻回部１３の巻き終わり側の端部に繋がる延在部３３Ｂは、図９Ｂに示すように、フランジ部５２の被写体側から切欠部５２ｋを介してフランジ部５２の撮像素子側に引き出される。具体的には、挿通部３３ｋが切欠部５２ｋを通過し、接続部３３ｃが突堤部８２の開放部８２ｚを通過するとともに収容部８２ｓの内底面と対向して延び、巻き付け部３３ｍがレンズ保持部材２の保持部７２Ｂに巻き付けられる。図９Ｂに示す例では、延在部３３Ｂは、保持部７２Ｂに３ターン巻き付けられている。
【００３２】
突堤部８２には、保持部７２Ｂから遠い側に、壁部が切り欠かれた開放部８２ｚが形成されている。延在部３３Ｂの接続部３３ｃは開放部８２ｚを通って延びる。この構成により、突堤部８２と延在部３３Ｂとの干渉が回避され、レンズ保持部材２と下側板ばね２６Ｂとの間隔の増大が回避され、レンズ駆動装置１０１の寸法が光軸方向ＪＤにおいて大きくなるのが抑制され得る。
【００３３】
次に、駆動機構ＭＫを構成するヨーク４について説明する。本実施形態では、ヨーク４は、鉄等の軟磁性体材料で形成された板材に抜き加工及び絞り加工を施して作製されている。具体的には、図１に示すように、収納部４ｓを定める箱状の外形を有する。そして、ヨーク４は、矩形環状の外壁部４Ａと、外壁部４Ａの上端（Ｚ１側の端）と連続するように設けられた平板状の上面部４Ｂとを有する。このように構成されたヨーク４は、図１０Ｂに示すように、コイル３及び磁石５を収納部４ｓに収容し、且つ、図２Ａ及び図２Ｂに示すように、ベース部材１８に結合されてベース部材１８とともに筐体を構成する。但し、ヨーク４は、オーステナイト系ステンレス鋼等の非磁性体で形成されたカバーで置き換えられてもよい。
【００３４】
次に、駆動機構ＭＫを構成する磁石５について説明する。磁石５は、図１に示すように直方体形状を有する。そして、４つの磁石５は、図１０Ｂに示すように、コイル３の外側に位置するとともに、ヨーク４を構成する矩形環状の外壁部４Ａの四辺のそれぞれに沿うように配置されている。そして、接着剤により、ヨーク４に固定されている。また、磁石５は、例えば、内側がＮ極、外側がＳ極となるように配置されている。
【００３５】
次に、板ばね６及び固定側部材ＲＧについて説明する。図１１Ａ及び図１１Ｂは、板ばね６を説明する図である。図１１Ａは、上側板ばね１６の上面図であり、図１１Ｂは、下側板ばね２６Ａ及び下側板ばね２６Ｂの上面図である。図１２Ａ及び図１２Ｂは、下側板ばね２６Ａとコイル３との接続状態の一例を説明する図である。具体的には、図１２Ａは、図１０Ａに示す部分Ｔの拡大図であり、図１２Ｂは、図１０Ａに示す部分ＴをＸ２側から見たときの下側板ばね２６Ａ、コイル３及びレンズ保持部材２の拡大図である。なお、図１２Ａ及び図１２Ｂでは、説明を分かり易くするため、導電性接着剤ＣＡがクロスハッチングで示されている。図１３Ａ及び図１３Ｂは、固定側部材ＲＧのベース部材１８を説明する図である。具体的には、図１３Ａは、ベース部材１８の上方斜視図であり、図１３Ｂは、ベース部材１８に下側板ばね２６Ａ及び下側板ばね２６Ｂを組み付けた状態の上方斜視図である。
【００３６】
板ばね６は、銅合金を主な材料とした金属板から作製されている。板ばね６は、図１に示すように、レンズ保持部材２とヨーク４との間に配置される上側板ばね１６と、レンズ保持部材２とベース部材１８との間に配置される下側板ばね２６Ａ及び下側板ばね２６Ｂとを含む。レンズ保持部材２と板ばね６（上側板ばね１６、下側板ばね２６Ａ及び下側板ばね２６Ｂ）のそれぞれとが係合された状態で、板ばね６は、レンズ保持部材２が光軸方向ＪＤ（Ｚ軸方向）へ移動可能となるように、レンズ保持部材２を空中で支持している。下側板ばね２６Ａ及び下側板ばね２６Ｂは、コイル３に電流を供給するための給電部材として機能する。そのため、下側板ばね２６Ａはコイル３の一端に電気的に接続され、下側板ばね２６Ｂはコイル３の他端に電気的に接続されている。上側板ばね１６とヨーク４との間にはスペーサ１が配置されている。スペーサ１は、レンズ保持部材２がＺ１方向に移動したときにレンズ保持部材２とヨーク４とが衝突するのを防止できるように配置されている。但し、スペーサ１は省略されてもよい。
【００３７】
上側板ばね１６は、図１１Ａに示すように、略矩形状を有し、レンズ保持部材２に固定される内側部分１６ｉと、固定側部材ＲＧに固定される外側部分１６ｅと、内側部分１６ｉと外側部分１６ｅとの間に位置する４箇所の弾性腕部１６ｇとを含む。具体的には、内側部分１６ｉは、中心を挟んで対向する２箇所に設けられている。外側部分１６ｅは、４箇所の角部分１６ｂと、４箇所の角部分１６ｂのそれぞれを繋ぐ桟部１６ｒとを有している。桟部１６ｒは、スペーサ１と磁石５とで挟持されて固定される。スペーサ１、ヨーク４及び磁石５は、固定側部材ＲＧとして機能する。
【００３８】
上側板ばね１６がレンズ駆動装置１０１に組み込まれた際には、図４Ａに示すように、内側部分１６ｉは、レンズ保持部材２の台座部１２ｄ（図５Ａ参照。）に載置される。そして、内側部分１６ｉと台座部１２ｄとを接着剤で固定することにより、内側部分１６ｉはレンズ保持部材２に固定される。外側部分１６ｅは、図４Ｂに示すように、磁石５の上面（Ｚ１側の面）に接し、スペーサ１（図示せず。）と磁石５との間に挟持されて固定される。
【００３９】
上側板ばね１６は、図１１Ａに示すように、略左右対称に形成されている。そして、内側部分１６ｉでレンズ保持部材２に固定され、外側部分１６ｅでスペーサ１を介してヨーク４に固定されている。そのため、上側板ばね１６は、レンズ保持部材２をバランス良く空中で支持できる。
【００４０】
下側板ばね２６Ａ及び下側板ばね２６Ｂは、図１１Ｂに示すように、それぞれの内側形状が半円形状となるように構成されている。そして、レンズ保持部材２の撮像素子側に固定される内側部分２６ｉと、固定側部材ＲＧに固定される外側部分２６ｅと、内側部分２６ｉと外側部分２６ｅとの間に位置する弾性腕部２６ｇとを含む。
【００４１】
下側板ばね２６Ａ及び下側板ばね２６Ｂのそれぞれの内側部分２６ｉは、図１１Ｂに示すように、レンズ保持部材２と係合される３つの内側接合部分２６ｃと、３つの内側接合部分２６ｃの間を繋ぐ２つの第１連結部２６ｐと、コイル３の延在部３３と対向する接続板部２６ｈとを含む。
【００４２】
下側板ばね２６Ａ及び下側板ばね２６Ｂがレンズ駆動装置１０１に組み込まれた際には、図６Ａに示すレンズ保持部材２の６つの突設部２ｔのそれぞれは、図１１Ｂに示す下側板ばね２６Ａ及び下側板ばね２６Ｂのそれぞれの内側接合部分２６ｃに設けられた円形の貫通孔に挿通されて嵌合される。これにより、下側板ばね２６Ａ及び下側板ばね２６Ｂのそれぞれの内側部分２６ｉは、レンズ保持部材２に位置決めされ且つ固定される。下側板ばね２６Ａ及び下側板ばね２６Ｂは、例えば、レンズ保持部材２の突設部２ｔに熱かしめ又は冷間かしめを施すことで、レンズ保持部材２に固定される。
【００４３】
以下では、主に下側ばね２６Ａとレンズ保持部材２及びコイル３との関係を説明する。但し、下側ばね２６Ａに関する説明は、下側ばね２６Ｂにも同様に適用される。
【００４４】
下側板ばね２６Ａの内側部分２６ｉの接続板部２６ｈは、図１２Ｂに示すように、レンズ駆動装置１０１が組み立てられた際には、レンズ保持部材２の突堤部８２と対向する。すなわち、接続板部２６ｈの被写体側（Ｚ１側）の面は、図１２Ａに示すように、突堤部８２で形成された収容部８２ｓと対向する。そして、コイル３の延在部３３Ａの接続部３３ｃは、図１２Ｂに示すように、下側板ばね２６Ａの内側部分２６ｉの被写体側の面とレンズ保持部材２のフランジ部５２の撮像素子側（Ｚ２側）の面との間を通って延びる。
【００４５】
内側部分２６ｉの接続板部２６ｈには、図１２Ａに示すように、突堤部８２の開放部８２ｚと対向する位置に、両側から切り欠かれた貫通部２６ｔが設けられ、且つ、外側壁部８２ｖと対向する位置に、Ｕ字形状（半円形状）の切欠部２６ｋが設けられている。貫通部２６ｔは、底面視で、突堤部８２の内側壁部８２ｕ及び外側壁部８２ｖの端部に対応する位置に設けられ、且つ、貫通部２６ｔを構成している壁端面２６ｘがこれらの端部を覆うように設けられている。また、切欠部２６ｋは、収容部８２ｓに対応する位置に形成されている。
【００４６】
下側板ばね２６Ａがレンズ保持部材２に組み付けられた際には、図１２Ｂに示すように、保持部７２Ａは、その先端が下側板ばね２６Ａの内側部分２６ｉの撮像素子側（Ｚ２側）に位置するように、内側部分２６ｉよりも下方（Ｚ２方向）に突出している。また、巻き付け部３３ｍの一部も内側部分２６ｉの撮像素子側（Ｚ２側）に位置するように保持部７２Ａに巻き付けられている。
【００４７】
下側板ばね２６Ａとコイル３の延在部３３Ａは、合成樹脂中に銀粒子等の導電性フィラーが分散された導電性接着剤ＣＡで電気的且つ機械的に接続されている。具体的には、下側板ばね２６Ａをレンズ保持部材２に組み込む前に、レンズ保持部材２の突堤部８２で囲まれた収容部８２ｓに導電性接着剤ＣＡが充填され、その後、下側板ばね２６Ａがレンズ保持部材２に装着される。そして、レンズ保持部材２の突設部２ｔが熱かしめされ、且つ、導電性接着剤ＣＡが熱硬化される。導電性接着剤ＣＡの収容部８２ｓへの充填から導電性接着剤ＣＡの熱硬化までは、保持部７２が鉛直上方に突出するようにレンズ保持部材２が逆さまにされた状態で行われる。そのため、導電性接着剤ＣＡは、流動性を有する場合であっても、所望の位置（収容部８２ｓ内の位置）に適切に保持され得る。そして、接続部３３ｃの一部は、収容部８２ｓ内に配置されているため、導電性接着剤ＣＡ内に埋設される。すなわち、接続部３３ｃは、下側板ばね２６Ａに電気的に接続される。なお、導電性接着剤ＣＡは、熱硬化型に限らず、紫外線硬化型のものであってもよい。
【００４８】
下側板ばね２６Ａの外側部分２６ｅは、図１１Ｂに示すように、ベース部材１８と係合される２つの外側接合部分２６ｄと、２つの外側接合部分２６ｄを繋ぐ第２連結部２６ｑとを含む。下側板ばね２６Ａの外側接合部分２６ｄに設けられた貫通孔は、ベース部材１８の上面に設けられた突設部１８ｔ（図１３Ａ参照。）と嵌合する。これにより、下側板ばね２６Ａの外側部分２６ｅは、ベース部材１８に位置決めされ且つ固定される。
【００４９】
下側板ばね２６Ａ及び下側板ばね２６Ｂは、図１１Ｂに示すように、略左右対称に形成されている。そして、下側板ばね２６Ａは、３つの内側接合部分２６ｃでレンズ保持部材２に接続され、２つの外側接合部分２６ｄでベース部材１８に接続されている。下側板ばね２６Ｂについても同様である。この構成により、下側板ばね２６Ａ及び下側板ばね２６Ｂは、レンズ保持部材２を光軸方向ＪＤへ移動可能な状態でバランス良く空中で支持することができる。
【００５０】
次に、固定側部材ＲＧについて説明する。固定側部材ＲＧは、上側板ばね１６を固定するスペーサ１、ヨーク４及び磁石５と、下側板ばね２６Ａ及び下側板ばね２６Ｂのそれぞれを固定するベース部材１８とを含む。
【００５１】
ベース部材１８は、液晶ポリマー等の合成樹脂を用いた射出成形によって作製される。本実施形態では、ベース部材１８は、図１３Ａに示すように、矩形板状の外形を有する部材であり、中央に円形の開口１８ｋが形成されている。また、ベース部材１８の被写体側（Ｚ１側）の面（上面）には、上方に向けて突出する６つの突設部１８ｔが設けられている。突設部１８ｔは、下側板ばね２６Ａ及び下側板ばね２６Ｂのそれぞれにおける外側接合部分２６ｄに設けられた貫通孔に挿通され且つ嵌合される。この際、突設部１８ｔは熱かしめが施されて外側接合部分２６ｄに固定される。図１３Ａ及び図１３Ｂでは、突設部１８ｔは、熱かしめされた後の先端が変形した状態で図示されている。突設部１８ｔは冷間かしめが施されて外側接合部分２６ｄに固定されてもよい。
【００５２】
ベース部材１８には、図１３Ａに示すように、銅若しくは鉄又はそれらを主成分とする合金等の材料を含む金属板から形成された端子７がインサート成形されて埋め込まれている。端子７は、端子７Ａ及び端子７Ｂを含み、端子７Ａ及び端子７Ｂのそれぞれは、一部がベース部材１８の上面（Ｚ１側の面）に露出している。そして、互いに電気的に絶縁されている端子７Ａ及び端子７Ｂのそれぞれは、撮像素子を実装した基板（図示せず。）に電気的に接続されている。また、端子７Ａは下側板ばね２６Ａに電気的に接続され、端子７Ｂは下側板ばね２６Ｂに電気的に接続されている。更に、下側板ばね２６Ａはコイル３の一端に電気的に接続され、下側板ばね２６Ｂはコイル３の他端に電気的に接続されている。そのため、コイル３は、端子７と下側板ばね２６Ａ及び下側板ばね２６Ｂとを介して電流の供給を受けることができる。
【００５３】
ベース部材１８には、端子７と同様に、銅若しくは鉄又はそれらを主成分とする合金等の材料を含む金属板から形成された接続部材５７もインサート成形されて埋め込まれている。接続部材５７は、図２Ａに示すように、ヨーク４の四隅の下端部のところで、一部を露出させている。ベース部材１８は、ヨーク４の外壁部４Ａの内面とベース部材１８の外周側面とが組み合わさって位置決めされた後で、接続部材５７とヨーク４の四隅の下端部とが溶接されてヨーク４に固定される。ヨーク４とベース部材１８とは少なくとも部分的に接着剤で固定されてもよい。
【００５４】
次に、図１４Ａ〜図１４Ｄを参照し、レンズ保持部材２とコイル３との接着の一例について説明する。図１４Ａは、Ｘ２側から見たレンズ保持部材２の上方斜視図であり、図８Ａの部分Ｑの拡大図に相当する。図１４Ｂは、コイル３が巻き付けられた状態のレンズ保持部材２の上方斜視図であり、図１４Ａに対応する。図１４Ｃは、図１４Ｂに示す溝部３０に充填され且つ硬化した接着剤ＡＭをＸ２側から見たときの接着剤ＡＭの上方斜視図である。図１４Ｄは、図１４Ｃの接着剤ＡＭの上面図と接着剤ＡＭの複数の断面形状を表す図とを含む。本実施形態では、接着剤ＡＭは、エポキシ系の熱硬化性接着剤であるが、アクリル系接着剤、ウレタン系接着剤、光硬化性接着剤等の他の接着剤であってもよい。
【００５５】
図１４Ａ及び図１４Ｂに示すように、レンズ保持部材２は、コイル支持部１２ｊの外周面１２ｊｅに形成された溝部３０を有する。本実施形態では、外周面１２ｊｅは、八角筒の８つの平らな側面を構成するが、円柱の側面を構成してもよい。この場合、コイル３の巻回部１３は、円環状に形成されてもよい。
【００５６】
溝部３０は、コイル３がレンズ保持部材２に巻き付けられたときに接着剤ＡＭが充填される空間をもたらす。図１４Ａの破線矢印は、接着剤ＡＭが流れ込む様子を表している。溝部３０は、図１４Ｂに示すように、コイル支持部１２ｊの被写体側の平坦面（上面１２ｊｔ）に開口し、コイル３がレンズ保持部材２に巻き付けられたときに接着剤ＡＭを受け入れられるように構成されている。
【００５７】
本実施形態では、溝部３０は、図７Ａに示すように、８つの溝部３０−１〜３０−８を含む。すなわち、八角筒状のコイル支持部１２ｊの８つの側面のうちの４つに２つずつ、合計で８つ形成されている。但し、溝部３０は、八角筒状のコイル支持部１２ｊの８つの側面のうちの残りの４つに形成されていてもよく、２つの側面を跨ぐように形成されていてもよい。
【００５８】
溝部３０−１、３０−３及び３０−７は側面視で同じ形状を有し、溝部３０−４、３０−６及び３０−８は側面視で同じ形状を有する。溝部３０−１、３０−３及び３０−７のそれぞれの形状と溝部３０−４、３０−６及び３０−８のそれぞれの形状とは側面視で左右対称である。溝部３０−２の形状と溝部３０−５の形状は側面視で左右対称である。
【００５９】
溝部３０−２及び３０−５は、コイル３の延在部３３に接着剤ＡＭを付着させることができるように構成されている点で、溝部３０−１、３０−３、３０−４及び３０−６〜３０−８の構成とは異なる。
【００６０】
本実施形態では、８つの溝部３０−１〜３０−８のうちの４つの溝部３０−１、３０−２、３０−５及び３０−６に接着剤ＡＭが充填される。残りの４つの溝部３０−３、３０−４、３０−７及び３０−８には接着剤ＡＭが充填されない。必要最小限の接着剤でレンズ保持部材２とコイル３との固定を実現するためである。また、少なくとも溝部３０−２及び３０−５と、レンズ体の光軸を挟んで互いに対向する位置に設けられた溝部３０（溝部３０−２に対する溝部３０−６、及び、溝部３０−５に対する溝部３０−１）とに接着剤が充填されるようにするためである。これは、重量バランスを考慮した結果である。但し、レンズ体の光軸を挟んで互いに対向する位置にある他の一対又は複数対の溝部３０に接着剤ＡＭが充填されてもよい。すなわち、他の組み合わせを構成する２つ、４つ、６つ又は８つの溝部３０に接着剤ＡＭが充填されてもよい。また、３つ以下又は４つ以上の任意の溝部３０に接着剤ＡＭが充填されてもよい。
【００６１】
本実施形態では、溝部３０−６は、図１４Ａに示すように、１２個の壁部３０Ａ〜３０Ｌで構成されている。壁部３０Ａ〜３０Ｌは何れも平坦面で構成されているが、湾曲面で構成されていてもよく、平坦面と湾曲面の組み合わせで構成されていてもよい。具体的には、少なくとも光軸方向ＪＤに延びる８つの第１壁部３０Ａ〜３０Ｈと、光軸方向ＪＤと交差する方向に延びる４つの第２壁部３０Ｉ〜３０Ｌとを含む。４つの第２壁部３０Ｉ〜３０Ｌのそれぞれは、コイル３の巻回部１３を構成する線材の巻回方向に延びる。第２壁部３０Ｉは、第１壁部３０Ａ〜３０Ｅのそれぞれに繋がっている。第２壁部３０Ｊは、第１壁部３０Ｂ、３０Ｄ及び３０Ｇのそれぞれに繋がっている。第２壁部３０Ｋは、第１壁部３０Ｂ、３０Ｇ及び３０Ｈのそれぞれに繋がっている。第２壁部３０Ｌは、第１壁部３０Ｂ、３０Ｆ及び３０Ｈのそれぞれに繋がっている。
【００６２】
図１４Ｂに示すようにコイル３がレンズ保持部材２に巻き付けられた状態で、上面１２ｊｔに露出する開口から溝部３０−６に接着剤ＡＭが充填されると、接着剤ＡＭは、図１４Ｃ及び図１４Ｄで示すような形状で硬化する。本実施形態では、接着剤ＡＭは、コイル支持部１２ｊの上面１２ｊｔ及びコイル３の巻回部１３の上面１３ｔのそれぞれの一部を覆うように塗布される。但し、図の明瞭化のため、図１４Ｃ及び図１４Ｄは何れも、コイル支持部１２ｊの上面１２ｊｔ及び巻回部１３の上面１３ｔのそれぞれの一部を覆うように硬化した接着剤ＡＭの部分の図示を省略している。但し、接着剤ＡＭは、溝部３０−６内に収まるように塗布されてもよい。
【００６３】
コイル支持部１２ｊの上面１２ｊｔと巻回部１３の上面１３ｔとは略同一平面上に位置する。本実施形態では、コイル３は、コイル支持部１２ｊの上面１２ｊｔに治具が当てられた状態でコイル支持部１２ｊに直接的に巻き付けられるためである。治具は、例えば、隣り合う２つの庇部１２ｈの間の空間を埋めるように構成され、隣り合う２つの庇部１２ｈの間でそれら庇部１２ｈと同様の機能を果たす。すなわち、コイル３が光軸方向ＪＤにおいて治具とフランジ部５２との間に挟まれるようにしてレンズ保持部材２の外周面側に巻き付けられるようにする。但し、コイル３は、治具を用いずにレンズ保持部材２に巻き付けられてもよい。また、環状に巻かれた後で、すなわち中空状（空芯状）に巻かれた後で、レンズ保持部材２の外周に装着されてもよい。この場合、庇部１２ｈは、環状に巻かれたコイル３がレンズ保持部材２の外周に装着され得るように省略されてもよく、レンズ保持部材２から分離可能に構成されていてもよい。
【００６４】
図１４Ｃ及び図１４Ｄに示す接着剤ＡＭの形状から明らかなように、本実施形態では、溝部３０−６は階段状に形成されている。具体的には、第２壁部３０Ｉ、３０Ｊ及び３０Ｋは、光軸方向ＪＤにおいて、３段の階段を形成している。より具体的には、コイル支持部１２ｊの上面１２ｊｔと第２壁部３０Ｉの間の段差は、第１壁部３０Ｃの高さＨ１に相当する。第２壁部３０Ｉと第２壁部３０Ｊの間の段差は、第１壁部３０Ｄの高さＨ２に相当する。第２壁部３０Ｊと第２壁部３０Ｋの間の段差は、第１壁部３０Ｇの高さＨ３に相当する。第２壁部３０Ｌも段差を形成している。コイル支持部１２ｊの上面１２ｊｔと第２壁部３０Ｌの間の段差は、第１壁部３０Ｆの高さＨ４に相当する。第２壁部３０Ｋと第２壁部３０Ｌの間の寸法は、第１壁部３０Ｈの高さＨ５に相当する。溝部３０−６は、光軸方向ＪＤにおいて２段以下又は４段以上の段差を有するように構成されていてもよい。或いは、溝部３０−６は、光軸方向ＪＤにおいて段差のないスロープ状に構成されていてもよい。この場合、スロープ面は、平坦面、曲面、又はそれらの組み合わせであってもよい。また、図１４Ａの例では、溝部３０−６は右下に延びるように構成されているが、左下に延びるように構成されていてもよい。また、溝部３０−６は、巻回部１３を構成する線材の巻回方向においてより広い幅にわたって延びるように構成されていてもよい。例えば、溝部３０−６の右側（Ｙ２側）の端は、フランジ部５２の切欠部５２ｋまで延びるように構成されていてもよく、フランジ部５２の切欠部５２ｋを超えて延びるように構成されていてもよい。
【００６５】
また、第１壁部３０Ａ及び３０Ｂは、コイル支持部１２ｊの外周面１２ｊｅに垂直な方向において、２段の階段を形成している。以下では、第１壁部３０Ａ及び３０Ｂのそれぞれは底壁部とも称する。外周面１２ｊｅと第１壁部３０Ａの間の段差は、第１壁部３０Ｃの深さＤ１に相当する。外周面１２ｊｅと第１壁部３０Ｂの間の段差は、第１壁部３０Ｈの深さＤ２に相当する。第１壁部３０Ａと第１壁部３０Ｂの間の段差は、第１壁部３０Ｅの深さＤ３に相当する。溝部３０−６は、コイル支持部１２ｊの外周面１２ｊｅに垂直な方向において、１段又は３段以上の段差を有するように構成されていてもよい。
【００６６】
本実施形態では、第１壁部３０Ａ〜３０Ｈに対する第２壁部３０Ｉ〜３０Ｌの角度αは９０度である。例えば、図１４Ｃに示す接着剤ＡＭの形状から分かるように、第１壁部３０Ｄと第２壁部３０Ｉとの間に形成される角度α１、第１壁部３０Ｇと第２壁部３０Ｊとの間に形成される角度α２、第１壁部３０Ｈと第２壁部３０Ｋとの間に形成される角度α３、及び、第１壁部３０Ｆと第２壁部３０Ｌとの間に形成される角度α４は何れも９０度である。但し、角度αのうちの少なくとも１つは、鈍角であってもよく鋭角であってもよい。
【００６７】
本実施形態では、第１壁部３０Ａ及び３０Ｂに対する第１壁部３０Ｃ〜３０Ｈの角度βは鈍角である。例えば、図１４Ｄに示す接着剤ＡＭの形状から分かるように、第１壁部３０Ａと第１壁部３０Ｃとの間に形成される角度β１、及び、第１壁部３０Ａと第１壁部３０Ｅとの間に形成される角度β２は何れも鈍角である。但し、角度βのうちの少なくとも１つは、直角であってもよく鋭角であってもよい。
【００６８】
図１４Ｄは、接着剤ＡＭの上面図とは別に、光軸方向ＪＤと直交する断面における接着剤ＡＭの断面形状ＣＳを示す。具体的には、断面形状ＣＳ１は、溝部３０−６の開口での接着剤ＡＭの断面形状を表す。断面形状ＣＳ２は、第２壁部３０Ｌを含む断面での接着剤ＡＭの断面形状を表す。断面形状ＣＳ３は、第１壁部３０Ｄと交差する断面での接着剤ＡＭの断面形状を表す。断面形状ＣＳ４は、第１壁部３０Ｇと交差する断面での接着剤ＡＭの断面形状を表す。
【００６９】
接着剤ＡＭの断面形状ＣＳは、光軸方向ＪＤと直交する断面における溝部３０−６の形成領域に対応する。そのため、溝部３０−６は、図１４Ｄの断面形状ＣＳから明らかなように、一端部である開口から離れた断面での形成領域（例えば断面形状ＣＳ２〜ＣＳ４のそれぞれに対応する形成領域）の少なくとも一部が、光軸方向ＪＤにおいて、開口での形成領域（断面形状ＣＳ１に対応する形成領域）と重複しないように、連続して形成されている。なお、溝部３０−６が「連続して形成されている」は、コイル３の内周面と溝部３０−６によって区切られる空間（形成領域）が、複数の空間に分割されることなく、一体的に繋がっていることを意味する。そのため、溝部３０−６に充填された接着剤ＡＭは、複数の部分に分割されることなく、一つの塊となって硬化される。
【００７０】
すなわち、溝部３０−６は、開口から離れた断面での形成領域（例えば断面形状ＣＳ２〜ＣＳ４のそれぞれに対応する形成領域）が上面視で開口での形成領域（断面形状ＣＳ１に対応する形成領域）からはみ出るように、連続して形成されている。
【００７１】
この構成により、溝部３０−６は、適量の接着剤ＡＭがコイル３の巻回方向の広い幅にわたって配置され、レンズ保持部材２とコイル３とが効率的に接着されるようにする。そのため、強い衝撃がレンズ駆動装置１０１に加えられた際のレンズ保持部材２とコイル３との相対移動を抑制或いは防止でき、ひいてはコイル３を構成する線材の断線を抑制或いは防止できる。
【００７２】
上述のような溝部３０−６に充填され且つ硬化された接着剤ＡＭは、レンズ保持部材２とコイル３との相対移動を抑制できる。具体的には、第１壁部３０Ｃ〜３０Ｈによって形成される接着剤ＡＭの形状は、コイル３の巻回方向における相対移動を抑制でき、第２壁部３０Ｉ〜３０Ｌによって形成される接着剤ＡＭの形状は、光軸方向ＪＤにおける相対移動を抑制できる。
【００７３】
本実施形態では、底壁部は、開口に近いほど深くなるように構成されている。具体的には、底壁部としての第１壁部３０Ａの深さＤ１は、底壁部としての第１壁部３０Ｂの深さＤ２よりも深い。第１壁部３０Ａの深さＤ１を深くすることは、コイル支持部１２ｊの上面１２ｊｔにおける溝部３０−６の開口面積を大きくすることを意味する。これは、溝部３０−６への接着剤ＡＭの充填が容易になることを意味する。接着剤ＡＭは、溝部３０−６の開口の上から溝部３０−６に向けて供給されて溝部３０−６の内部に流し込まれるためである。一方、第１壁部３０Ｂの深さＤ２を浅くすることは、接着剤ＡＭの充填効率を高めることを意味する。すなわち、接着剤ＡＭの使用量を低減できることを意味する。但し、第１壁部３０Ｂの深さＤ２は、接着剤ＡＭの粒径（例えば２０μｍ）よりも大きくなるように構成されている。接着剤ＡＭを溝部３０−６内に適切に充填できるようにするためである。
【００７４】
本実施形態では、溝部３０−６は線材の巻回方向に沿って形成されている。そのため、接着剤ＡＭが溝部３０−６に供給されると、接着剤ＡＭは線材に沿って流れ、溝部３０−６内の空気を巻回方向に押し出すことができる。したがって、溝部３０−６内の空気は、空気を逃がすための特別な構造が形成されていなくても、溝部３０−６の外に出ることができる。
【００７５】
本実施形態では、溝部３０−６の少なくとも一部は、２つの移動制限部の間に位置するように構成されている。移動制限部は、レンズ保持部材２に巻き付けられたコイル３の光軸方向ＪＤへの動きを制限する部材であり、本実施形態では、第１移動制限部（第１規制部）としての庇部１２ｈと第２移動制限部（第２規制部）としてのフランジ部５２とを含む。
【００７６】
具体的には、溝部３０−６は、隣り合う２つの庇部１２ｈの間に露出するコイル支持部１２ｊの上面１２ｊｔに開口を有する。すなわち、コイル３の内周面と第１壁部３０Ａ〜３０Ｆ及び第２壁部３０Ｉ、３０Ｊとで区切られる空間は、庇部１２ｈとフランジ部５２との間に位置しない。一方、コイル３の内周面と第１壁部３０Ｂ、３０Ｇ、３０Ｈ及び第２壁部３０Ｋ、３０Ｌとで区切られる空間は、庇部１２ｈとフランジ部５２との間に位置する。
【００７７】
この構成により、溝部３０−６内で硬化する接着剤ＡＭは、庇部１２ｈとフランジ部５２との間で、コイル３の巻回部１３の内周面とコイル支持部１２ｊとを接着できる。これは、光軸方向ＪＤにおける巻回部１３の移動が庇部１２ｈとフランジ部５２によって制限されている巻回部１３の部分、すなわち、光軸方向ＪＤにおいてコイル支持部１２ｊと巻回部１３の相対移動が発生し難い部分で巻回部１３の内周面とコイル支持部１２ｊとを接着できることを意味する。そのため、接着剤ＡＭは、ストレスが掛かりにくい状態で維持され、落下等により強い衝撃がレンズ駆動装置１０１に加えられた場合であっても剥がれにくい。
【００７８】
次に、図１５Ａ〜図１５Ｃ及び図１６Ａ〜図１６Ｃを参照し、レンズ保持部材２とコイル３との接着の別の一例について説明する。図１５Ａは、Ｘ２側から見たレンズ保持部材２の上方斜視図であり、図８Ａの部分Ｒの拡大図に相当する。図１５Ｂは、コイル３が巻き付けられた状態のレンズ保持部材２の上方斜視図であり、図１５Ａに対応する。図１５Ｃは、コイル３が巻き付けられた状態のレンズ保持部材２の下方斜視図であり、図１５Ａに対応する。
【００７９】
図１６Ａは、コイル３が巻き付けられた状態のコイル支持部１２ｊの上方斜視図であり、図１５Ｂに示す溝部３０−５に充填された接着剤ＡＭが硬化した状態を示す。具体的には、図１６Ａは、接着剤ＡＭがコイル支持部１２ｊの上面１２ｊｔ及びコイル３の巻回部１３の上面１３ｔのそれぞれの一部を覆い、且つ、コイル３の延在部３３Ａの根本部分３３ｒの周囲で巻回部１３の下面１３ｂの一部を覆った状態を示す。延在部３３Ａの根本部分３３ｒは、コイル３の巻き始め側にある延在部３３Ａを構成する１本の線材の一部であり、巻回部１３に近い部分（例えば、巻回部１３から所定の距離範囲内にある部分）である。根本部分３３ｒは、巻回部１３を構成する線材の一巻き目に繋がっている。図１６Ｂは、図１６Ａに示す接着剤ＡＭの上方斜視図である。図１６Ｃは、図１６Ａの接着剤ＡＭの上面図と、接着剤ＡＭの複数の断面形状を表す図とを含む。図１６Ｂ及び図１６Ｃは何れも、明瞭化のため、上面１２ｊｔ及び上面１３ｔのそれぞれの一部を覆うように硬化した接着剤ＡＭの部分の図示を省略している。但し、接着剤ＡＭは、溝部３０−５内に収まるように塗布されてもよい。
【００８０】
図１５Ａ〜図１５Ｃに示すように、レンズ保持部材２は、コイル支持部１２ｊの外周面１２ｊｅに形成された溝部３０−５を有する。溝部３０−５は、コイル３がレンズ保持部材２に巻き付けられたときに接着剤ＡＭが充填される空間をもたらす。図１５Ａの破線矢印は、接着剤ＡＭが流れ込む様子を表している。溝部３０−５は、図１５Ｂに示すように、コイル支持部１２ｊの被写体側の平坦面（上面１２ｊｔ）に開口し、コイル３がレンズ保持部材２に巻き付けられたときに接着剤ＡＭを受け入れられるように構成されている。また、溝部３０−５は、図１５Ｃに示すように、フランジ部５２の切欠部５２ｋのところで、巻回部１３の下面１３ｂよりも撮像方向（Ｚ２方向）に延びて外側（Ｘ２側）に開口し、コイル３がレンズ保持部材２に巻き付けられた状態で接着剤ＡＭがその開口から流出できるように構成されている。但し、溝部３０−５は、フランジ部５２の切欠部５２ｋのところで開口しないように、すなわち、巻回部１３で完全に覆われるように構成されていてもよい。図１５Ｃの例では、根本部分３３ｒは、その開口を塞ぐようにその開口と対向して配置されている。この開口から流出する接着剤ＡＭは、下面１３ｂを伝って根本部分３３ｒの周囲に拡がり、根本部分３３ｒの少なくとも一部に付着する。望ましくは、根本部分３３ｒの全周を覆うように根本部分３３ｒに付着する。図１６Ａは、根本部分３３ｒの半周が接着剤ＡＭで覆われた状態を示している。
【００８１】
本実施形態では、溝部３０−５は、１６個の壁部３１Ａ〜３１Ｐで構成されている。壁部３１Ａ〜３１Ｏは何れも平坦面で構成されているが、湾曲面で構成されていてもよく、平坦面と湾曲面の組み合わせで構成されていてもよい。壁部３１Ｐは、平坦面と湾曲面の組み合わせで構成されているが、平坦面のみで構成されていてもよく、湾曲面のみで構成されていてもよい。具体的には、少なくとも光軸方向ＪＤに延びる１０個の第１壁部３１Ａ〜３１Ｊと、光軸方向ＪＤと交差する方向に延びる６つの第２壁部３１Ｋ〜３１Ｐとを含む。６つの第２壁部３１Ｋ〜３１Ｐのそれぞれは、コイル３の巻回部１３を構成する線材の巻回方向に延びる。第２壁部３１Ｋは、第１壁部３１Ａ、３１Ｂ及び３１Ｄ〜３１Ｆのそれぞれに繋がっている。第２壁部３１Ｌは、第１壁部３１Ｂ、３１Ｅ及び３１Ｈのそれぞれに繋がっている。第２壁部３１Ｍは、第１壁部３１Ｂ、３１Ｇ及び３１Ｉのそれぞれに繋がっている。第２壁部３１Ｎは、第１壁部３１Ｃ、３１Ｉ及び３１Ｊのそれぞれに繋がっている。第２壁部３１Ｏは、第１壁部３１Ｃ及び３１Ｈのそれぞれに繋がっている。第２壁部３１Ｐは、第１壁部３１Ｃ及び３１Ｊのそれぞれに繋がっている。
【００８２】
図１５Ｂに示すようにコイル３がレンズ保持部材２に巻き付けられた状態で、上面１２ｊｔに露出する開口から溝部３０−５に接着剤ＡＭが充填されると、接着剤ＡＭは、図１６Ａで示すような形状で硬化する。本実施形態では、接着剤ＡＭは、同一平面を構成するコイル支持部１２ｊの上面１２ｊｔ及びコイル３の巻回部１３の上面１３ｔのそれぞれの一部を覆うように塗布されている。なお、コイル３がレンズ保持部材２に巻き付けられた状態において、第２壁部３１Ｏの上側（Ｚ１側）に位置する溝部３０−５の部分は、巻回部１３の下端部に位置する巻回部１３の巻き始め部分の少なくとも一部に対向する。したがって、溝部３０−５のこの部分に配置された接着剤ＡＭは、巻き始め部分の少なくとも一部に付着する。
【００８３】
図１６Ｂ及び図１６Ｃに示す接着剤ＡＭの形状から明らかなように、本実施形態では、溝部３０−５は階段状に形成されている。具体的には、第２壁部３１Ｋ、３１Ｌ、３１Ｏ及び３１Ｐは、光軸方向ＪＤにおいて、４段の階段を形成している。コイル支持部１２ｊの上面１２ｊｔと第２壁部３１Ｋの間の段差は、第１壁部３１Ｄの高さＨ１１に相当する。第２壁部３１Ｋと第２壁部３１Ｌの間の段差は、第１壁部３１Ｅの高さＨ１２に相当する。第２壁部３１Ｌと第２壁部３１Ｏの間の段差は、第１壁部３１Ｈの高さＨ１３に相当する。第２壁部３１Ｏと第２壁部３１Ｐの間の段差は、第２壁部３１Ｐに対するフランジ部５２の高さＨ１４に相当する。第２壁部３１Ｍ及び３１Ｎも段差を形成している。コイル支持部１２ｊの上面１２ｊｔと第２壁部３１Ｍの間の段差は、第１壁部３１Ｇの高さＨ１５に相当する。第２壁部３１Ｍと第２壁部３１Ｎの間の段差は、第１壁部３１Ｉの高さＨ１６に相当する。第２壁部３１Ｎとフランジ部５２の上面よりも下側（Ｚ２側）に位置する第２壁部３１Ｐとの間の寸法は、第１壁部３１Ｊの高さＨ１７に相当する。溝部３０は、光軸方向ＪＤにおいて３段以下又は５段以上の段差を有するように構成されていてもよい。或いは、溝部３０は、光軸方向ＪＤにおいて段差のないスロープ状に構成されていてもよい。この場合、スロープ面は、平坦面、曲面、又はそれらの組み合わせであってもよい。また、図１６Ａの例では、溝部３０−５は左下に延びるように構成されているが、右下に延びるように構成されていてもよい。また、溝部３０−５は、巻回部１３を構成する線材の巻回方向においてより広い幅にわたって延びるように構成されていてもよく、より狭い幅にわたって延びるように構成されていてもよい。例えば、溝部３０−５の左側（Ｙ１側）の端は、フランジ部５２の切欠部５２ｋに達する前に終端するように構成されていてもよい。
【００８４】
また、第１壁部３１Ａ〜３１Ｃは、コイル支持部１２ｊの外周面１２ｊｅに垂直な方向において、２段の階段を形成している。以下では、第１壁部３１Ａ〜３１Ｃのそれぞれは底壁部とも称する。外周面１２ｊｅと第１壁部３１Ａの間の段差は、第１壁部３１Ｄの深さＤ１１に相当する。外周面１２ｊｅと第１壁部３１Ｂの間の段差は、第１壁部３１Ｊの深さＤ１２に相当する。第１壁部３１Ａと第１壁部３１Ｂの間の段差は、第１壁部３１Ｆの深さＤ１３に相当する。第１壁部３１Ｃは、第１壁部３１Ｂと同じ深さである。溝部３０は、コイル支持部１２ｊの外周面１２ｊｅに垂直な方向において、１段又は３段以上の段差を有するように構成されていてもよい。
【００８５】
本実施形態では、第１壁部３１Ａ〜３１Ｊに対する第２壁部３１Ｋ〜３１Ｐの角度αは９０度である。例えば、図１６Ｂに示す接着剤ＡＭの形状から分かるように、第１壁部３１Ｈと第２壁部３１Ｌとの間に形成される角度α１１は９０度である。但し、角度αのうちの少なくとも１つは、鈍角であってもよく鋭角であってもよい。
【００８６】
本実施形態では、第１壁部３１Ａ〜３１Ｃに対する第１壁部３１Ｄ〜３１Ｊの角度βは鈍角である。例えば、図１６Ｃに示す接着剤ＡＭの形状から分かるように、第１壁部３１Ａと第１壁部３１Ｄとの間に形成される角度β１１、及び、第１壁部３１Ａと第１壁部３１Ｆとの間に形成される角度β１２は何れも鈍角である。但し、角度βのうちの少なくとも１つは、直角であってもよく鋭角であってもよい。
【００８７】
図１６Ｃは、接着剤ＡＭの上面図とは別に、光軸方向ＪＤと直交する断面における接着剤ＡＭの断面形状ＣＳを示す。具体的には、断面形状ＣＳ１は、上面１２ｊｔに露出する溝部３０−５の開口での接着剤ＡＭの断面形状を表す。断面形状ＣＳ２は、第２壁部３１Ｋを含む断面での接着剤ＡＭの断面形状を表す。断面形状ＣＳ３は、第１壁部３１Ｅと交差する断面での接着剤ＡＭの断面形状を表す。断面形状ＣＳ４は、第１壁部３１Ｉ及び３１Ｈと交差する断面での接着剤ＡＭの断面形状を表す。断面形状ＣＳ５は、第１壁部３１Ｈ及び３１Ｊと交差する断面での接着剤ＡＭの断面形状を表す。断面形状ＣＳ６は、第２壁部３１Ｐの平坦面（フランジ部５２の上面よりも下側（Ｚ２側）に位置する面）を含む断面での接着剤ＡＭの断面形状を表す。
【００８８】
接着剤ＡＭの断面形状ＣＳは、光軸方向ＪＤと直交する断面における溝部３０−５の形成領域に対応する。そのため、溝部３０−５は、図１６Ｃの断面形状ＣＳから明らかなように、一端部である上面１２ｊｔ側の開口から離れた断面での形成領域（例えば断面形状ＣＳ２〜ＣＳ６のそれぞれに対応する形成領域）の少なくとも一部が、光軸方向ＪＤにおいて、開口での形成領域（断面形状ＣＳ１に対応する形成領域）と重複しないように、連続して形成されている。
【００８９】
すなわち、溝部３０−５は、開口から離れた断面での形成領域（例えば断面形状ＣＳ２〜ＣＳ６のそれぞれに対応する形成領域）が上面視で開口での形成領域（断面形状ＣＳ１に対応する形成領域）からはみ出るように、或いは、開口での形成領域から離れたところに位置するように、連続して形成されている。
【００９０】
この構成により、溝部３０−５は、適量の接着剤ＡＭがコイル３の巻回方向の広い幅にわたって配置され、レンズ保持部材２とコイル３とが効率的に接着されるようにする。そのため、強い衝撃がレンズ駆動装置１０１に加えられた際のレンズ保持部材２とコイル３との相対移動を抑制或いは防止でき、ひいてはコイル３を構成する線材の断線を抑制或いは防止できる。
【００９１】
上述のような溝部３０−５に充填され且つ硬化された接着剤ＡＭは、レンズ保持部材２とコイル３との相対移動を抑制できる。具体的には、第１壁部３１Ｄ〜３１Ｊによって形成される接着剤ＡＭの形状は、コイル３の巻回方向における相対移動を抑制でき、第２壁部３１Ｋ〜３１Ｐによって形成される接着剤ＡＭの形状は、光軸方向ＪＤにおける相対移動を抑制できる。
【００９２】
本実施形態では、底壁部は、上面１２ｊｔ側の開口に近いほど深くなるように構成されている。具体的には、底壁部としての第１壁部３１Ａの深さＤ１１は、底壁部としての第１壁部３１Ｂ及び３１Ｃの深さＤ１２よりも深い。第１壁部３１Ａの深さＤ１１を深くすることは、コイル支持部１２ｊの上面１２ｊｔにおける溝部３０−５の開口面積を大きくすることを意味する。これは、溝部３０−５への接着剤ＡＭの充填が容易になることを意味する。接着剤ＡＭは、溝部３０−５の開口の上から溝部３０−５に向けて供給されて溝部３０−５の内部に流し込まれるためである。一方、第１壁部３１Ｂ及び３１Ｃの深さＤ１２を浅くすることは、接着剤ＡＭの充填効率を高めることを意味する。すなわち、接着剤ＡＭの使用量を低減できることを意味する。
【００９３】
本実施形態では、溝部３０−５の少なくとも一部は、２つの移動制限部の間に位置するように構成されている。移動制限部は、レンズ保持部材２に巻き付けられたコイル３の光軸方向ＪＤへの動きを制限する部材であり、本実施形態では、第１移動制限部（第１規制部）としての庇部１２ｈと第２移動制限部（第２規制部）としてのフランジ部５２とを含む。
【００９４】
具体的には、溝部３０−５は、隣り合う２つの庇部１２ｈの間に露出するコイル支持部１２ｊの上面１２ｊｔに開口を有する。すなわち、コイル３の内周面と第１壁部３１Ａ、３１Ｂ、３１Ｄ〜３１Ｇ及び第２壁部３１Ｋ、３１Ｌとで区切られる空間は、庇部１２ｈとフランジ部５２との間に位置しない。一方、コイル３の内周面と第１壁部３１Ｂ、３１Ｃ、３１Ｈ、３１Ｉ、３１Ｊ及び第２壁部３１Ｌ〜３１Ｐとで区切られる空間は、庇部１２ｈとフランジ部５２との間に位置する。
【００９５】
この構成により、溝部３０−５内で硬化する接着剤ＡＭは、庇部１２ｈとフランジ部５２との間で、コイル３の巻回部１３の内周面とコイル支持部１２ｊとを接着できる。これは、光軸方向ＪＤにおける巻回部１３の移動が庇部１２ｈとフランジ部５２によって制限されている巻回部１３の部分、すなわち、光軸方向ＪＤにおいてコイル支持部１２ｊと巻回部１３の相対移動が発生し難い部分で巻回部１３の内周面とコイル支持部１２ｊとを接着できることを意味する。そのため、接着剤ＡＭは、ストレスが掛かりにくい状態で維持され、落下等により強い衝撃がレンズ駆動装置１０１に加えられた場合であっても剥がれにくい。
【００９６】
溝部３０−５は、接着剤ＡＭが巻回部１３の巻き始め部分（図８Ｂの部分Ｌ１又は部分Ｌ２参照。）に付着できるのであれば、巻回部１３の下面１３ｂのところで開口していなくてもよい。具体的には、溝部３０−５は、第２壁部３１Ｐがフランジ部５２よりも被写体側に位置するように構成されてもよい。或いは、第２壁部３１Ｐと第２壁部３１Ｏとが同一平面上に位置するように構成されていてもよい。また、溝部３０−５は、図１５Ａに示すように、第１壁部３１Ｊが切欠部５２ｋのところに位置するように、すなわち、フランジ部５２の縁部よりもＹ１側に位置するように構成されている。しかし、溝部３０−５は、第１壁部３１Ｊがフランジ部５２の縁部よりもＹ２側に位置するように構成されていてもよい。
【００９７】
また、上述の説明は、コイル３の巻き始め側にある延在部３３Ａの根本部分３３ｒに接着剤ＡＭが付着するように構成された溝部３０−５に関する。但し、上述の説明は、コイル３の巻き終わり側にある延在部３３Ｂの根本部分３３ｒに接着剤ＡＭが付着するように構成される溝部３０−２（図７Ａ参照。）にも同様に適用される。この場合、溝部３０−２は、接着剤ＡＭが巻回部１３の巻き終わり部分（図６Ｂの部分Ｌ３又は部分Ｌ４参照。）に付着できるのであれば、巻回部１３の下面１３ｂのところで開口していなくてもよい。
【００９８】
上述の通り、本実施形態に係るレンズ駆動装置１０１は、レンズ体を保持可能なレンズ保持部材２と、レンズ保持部材２を収容する筐体と、レンズ体の光軸方向ＪＤに移動可能にレンズ保持部材２を支持する板ばね６と、レンズ保持部材２の周囲に固定されるコイル３と、コイル３に対向して配置される磁石５とを備えている。筐体は、例えば、ヨーク４とベース部材１８で構成されている。そして、レンズ保持部材２は、コイル３の内周面と対向する外壁部であるコイル支持部１２ｊと、コイル支持部１２ｊに形成されるとともにコイル３の内周面から離れる方向へ窪んだ溝部３０とを有する。溝部３０は、コイル支持部１２ｊの光軸方向ＪＤにおける一端部である上面１２ｊｔに開口を有するとともに、光軸方向ＪＤと直交する断面における溝部３０の形成領域のうち、開口から離れた断面での形成領域（例えば断面形状ＣＳ２〜ＣＳ４のそれぞれに対応する形成領域）の少なくとも一部が、光軸方向ＪＤにおいて、開口における断面での形成領域（断面形状ＣＳ１に対応する形成領域）と重複しないように、連続して形成されている。そして、溝部３０に配置された接着剤ＡＭによってコイル３とレンズ保持部材２とが固定されている。この構成により、溝部３０は、適量の接着剤ＡＭがコイル３の巻回方向の広い幅にわたって配置され、レンズ保持部材２とコイル３とが効率的に接着されるようにする。そのため、強い衝撃がレンズ駆動装置１０１に加えられた際のレンズ保持部材２とコイル３との相対移動を抑制或いは防止でき、ひいてはコイル３を構成する線材の断線を抑制或いは防止できる。
【００９９】
本実施形態では、レンズ保持部材２には、溝部３０を区切る壁部が形成されている。例えば図１４Ａに示すように、溝部３０−６は、少なくとも光軸方向ＪＤに延びる第１壁部３０Ａ〜３０Ｈと、第１壁部３０Ａ〜３０Ｈの少なくとも１つに繋がり且つ光軸方向ＪＤと交差する方向に延びる第２壁部３０Ｉ〜３０Ｌとを有する。また、溝部３０は、典型的には、階段状に形成される。この構成により、溝部３０に充填され且つ硬化された接着剤ＡＭは、レンズ保持部材２とコイル３との相対移動を抑制できる。例えば溝部３０−６に関し、第１壁部３０Ｃ〜３０Ｈによって形成される接着剤ＡＭの形状は、コイル３の巻回方向における相対移動を抑制でき、第２壁部３０Ｉ〜３０Ｌによって形成される接着剤ＡＭの形状は、光軸方向ＪＤにおける相対移動を抑制できる。
【０１００】
レンズ保持部材２は、外方へ突出する複数の第１規制部としての庇部１２ｈと、光軸方向ＪＤにおいて庇部１２ｈと対向する第２規制部としてのフランジ部５２とを有していてもよい。この場合、コイル３は、庇部１２ｈとフランジ部５２との間に巻かれており、溝部３０の少なくとも一部は、庇部１２ｈとフランジ部５２との間に位置している。この構成により、溝部３０内で硬化する接着剤ＡＭは、庇部１２ｈとフランジ部５２との間で、コイル３の巻回部１３の内周面とコイル支持部１２ｊとを接着できる。これは、光軸方向ＪＤにおける巻回部１３の移動が庇部１２ｈとフランジ部５２によって制限されている巻回部１３の部分、すなわち、光軸方向ＪＤにおいてコイル支持部１２ｊと巻回部１３の相対移動が発生し難い部分で巻回部１３の内周面とコイル支持部１２ｊとを接着できることを意味する。そのため、接着剤ＡＭは、ストレスが掛かりにくい状態で維持され、落下等により強い衝撃がレンズ駆動装置１０１に加えられた場合であっても剥がれにくい。
【０１０１】
溝部３０は、開口の部分の深さが他の部分よりも深くなるように構成されていてもよい。例えば、図１４Ａ及び図１４Ｄに示すように、溝部３０−６における第１壁部３０Ａの深さＤ１は、第１壁部３０Ｂの深さＤ２よりも深くなるように構成されていてもよい。第１壁部３０Ａの深さＤ１を深くすることは、コイル支持部１２ｊの上面１２ｊｔにおける溝部３０−６の開口面積が大きくなることを意味する。これは、溝部３０−６への接着剤ＡＭの充填が容易になることを意味する。接着剤ＡＭは、溝部３０−６の開口の上から溝部３０−６に向けて供給されて溝部３０−６の内部に流し込まれるためである。一方、第１壁部３０Ｂの深さＤ２を浅くすることは、接着剤ＡＭの充填効率を高めることを意味する。すなわち、接着剤ＡＭの使用量を低減できることを意味する。但し、第１壁部３０Ｂの深さＤ２は、接着剤ＡＭの粒径（例えば２０μｍ）よりも大きくなるように構成されている。接着剤ＡＭを溝部３０−６内に適切に充填できるようにするためである。
【０１０２】
本実施形態では、レンズ保持部材２は、光軸方向ＪＤと直交する方向に延びる平坦面としてコイル支持部１２ｊの上面１２ｊｔを有する。そして、上面１２ｊｔには溝部３０の開口が露出している。この構成により、接着剤ＡＭは、溝部３０の開口の上から溝部３０に向けて供給されて溝部３０の内部に容易に流し込まれる。上面１２ｊｔとコイル３の一端面である巻回部１３の上面１３ｔと庇部１２ｈの下面とは略同一平面上にある。コイル３は、コイル支持部１２ｊの上面１２ｊｔに治具が当てられた状態でコイル支持部１２ｊに直接的に巻き付けられるためである。治具は、例えば、隣り合う２つの庇部１２ｈの間の空間を埋めるように構成され、隣り合う２つの庇部１２ｈの間でそれら庇部１２ｈと同様の機能を果たす。すなわち、コイル３が光軸方向ＪＤにおいて治具とフランジ部５２との間に挟まれるようにしてレンズ保持部材２の外周面側に巻き付けられるようにする。但し、コイル３は、環状に巻かれた後で、すなわち中空状（空芯状）に巻かれた後で、レンズ保持部材２の外周に装着されてもよい。この場合、庇部１２ｈは、環状に巻かれたコイル３がレンズ保持部材２の外周に装着され得るように省略されてもよく、レンズ保持部材２から分離可能に構成されていてもよい。
【０１０３】
また、本実施形態に係るレンズ駆動装置１０１は、レンズ体を保持可能なレンズ保持部材２と、レンズ保持部材２を収容する筐体と、レンズ体の光軸方向に移動可能にレンズ保持部材２を支持する板ばね６（下側板ばね２６Ａ）と、レンズ保持部材２の周囲に固定されるコイル３と、コイル３に対向して配置される磁石５とを備えている。下側板ばね２６Ａの一部（内側部分２６ｉ）は、図１０Ａに示すように、光軸方向ＪＤにおけるレンズ保持部材２の一端に取り付けられている。コイル３は、図１５Ｃ及び図１６Ａに示すように、レンズ保持部材２の外周に位置する巻回部１３と、下側板ばね２６Ａに電気的に接続される延在部３３Ａとを有する。レンズ保持部材２は、コイル３の内周面と対向する外壁部としてのコイル支持部１２ｊと、コイル支持部１２ｊに形成されるとともにコイル３の内周面から離れる方向へ窪んだ溝部３０−５とを有する。そして、溝部３０−５に配置された接着剤ＡＭは、巻回部１３の巻き始め部分の少なくとも一部に付着している。例えば、巻き始め側にある延在部３３Ａの根本部分３３ｒは、溝部３０−５に配置された接着剤ＡＭと接触している。
【０１０４】
この構成により、コイル３の巻き始め側に対応する位置に形成された溝部３０−５は、コイル３の巻き始め側にある延在部３３Ａの根本部分３３ｒに接着剤ＡＭを付着させることができる。そのため、延在部３３Ａの根本部分３３ｒの摺動、揺動、延伸又は圧縮等を抑制或いは防止でき、ひいては根本部分３３ｒの断線を抑制或いは防止できる。
【０１０５】
巻回部１３の巻き終わり部分についても同様である。すなわち、コイル３の巻き終わり側に対応する位置に形成された溝部３０−２は、コイル３の巻き終わり側にある延在部３３Ｂの根本部分３３ｒに接着剤ＡＭを付着させることができる。そのため、延在部３３Ｂの根本部分３３ｒの摺動、揺動、延伸又は圧縮等を抑制或いは防止でき、ひいては根本部分３３ｒの断線を抑制或いは防止できる。
【０１０６】
上述のレンズ駆動装置の製造方法は、レンズ保持部材２の外周にコイル３の巻回部１３を位置付ける工程と、コイル３の内周面と対向するレンズ保持部材２のコイル支持部１２ｊに形成されるとともにコイル３の内周面から離れる方向へ窪んだ溝部３０に接着剤ＡＭを供給する工程とを有する。
【０１０７】
また、上述の製造方法は、例えば図１４Ｄに示すように、光軸方向ＪＤと直交する断面における接着剤ＡＭの断面形状ＣＳのうち、溝部３０−６の開口から離れた断面での断面形状ＣＳ２の少なくとも一部が、光軸方向ＪＤにおいて、開口における断面での断面形状ＣＳ１と重複しないように接着剤ＡＭを硬化させる工程を有する。この工程により、レンズ保持部材２とコイル３とが接着剤ＡＭでより適切に固定されたレンズ駆動装置１０１が製造される。なお、接着剤ＡＭの硬化は、例えば、溝部３０に充填された接着剤ＡＭを加熱することによって行われる。
【０１０８】
また、上述の製造方法は、例えば図１６Ａに示すように、巻回部１３の巻き始め部分の少なくとも一部に接着剤ＡＭを付着させる工程を有する。この工程により、コイル３を構成する線材の断線を生じさせ難いレンズ駆動装置１０１が製造される。例えば、コイル３の巻き始め側にある延在部３３Ａの根本部分３３ｒで断線を生じさせ難いレンズ駆動装置１０１が製造される。
【０１０９】
以上、本発明の好ましい実施形態について詳説した。しかしながら、本発明は、上述した実施形態に制限されることはない。上述した実施形態は、本発明の範囲を逸脱することなしに、種々の変形及び置換が適用され得る。また、上述の実施形態を参照して説明された特徴のそれぞれは、技術的に矛盾しない限り、適宜に組み合わされてもよい。
【０１１０】
例えば、上記実施形態では、保持部７２がレンズ保持部材２（フランジ部５２）の一端部から光軸方向ＪＤに突出する突出部から構成されているが、この構成に限定されるものではない。突出部は、光軸方向ＪＤとは異なる方向（例えば側方）に突出していてもよく、突出しないフック部で置き換えられてもよい。
【０１１１】
また、上記実施形態では、フランジ部５２には、コイル３の延在部３３を通す切欠部５２ｋが２つ設けられているが、コイル３の巻回部１３を保持可能であれば、３つ以上の切欠部が設けられていてもよい。
【０１１２】
また、上記実施形態では、下側板ばね２６Ａと延在部３３Ａとを電気的に接続し、且つ、下側板ばね２６Ｂと延在部３３Ｂとを電気的に接続する構成としたが、これに限るものではない。例えば、手振れ補正機能付きのレンズ駆動装置においては、上側板ばねを２つに分割して一対とし、延在部３３Ａ及び延在部３３Ｂのそれぞれと電気的に接続する構成であってもよい。この場合には、レンズ保持部材２の上端部側（Ｚ１側）に切欠部を有するフランジ部が設けられていてもよい。
【０１１３】
また、上記実施形態では、ヨーク４とベース部材１８とで構成される筐体は、レンズ保持部材２の全体を収容している。但し、レンズ保持部材２の一部（例えば上部）は、筐体（ヨーク４）から外部に露出していてもよい。
【０１１４】
本願は、２０１７年９月１９日に出願した日本国特許出願２０１７−１７９４５９号に基づく優先権を主張するものであり、この日本国特許出願の全内容を本願に参照により援用する。
【符号の説明】
【０１１５】
１・・・スペーサ  ２・・・レンズ保持部材  ２ｔ・・・突設部  ３・・・コイル  ４・・・ヨーク  ４Ａ・・・外壁部  ４Ｂ・・・上面部  ４ｓ・・・収納部  ５・・・磁石  ６・・・板ばね  ７、７Ａ、７Ｂ・・・端子  １２・・・筒状部  １２ｄ・・・台座部  １２ｄｈ・・・窪み  １２ｈ・・・庇部  １２ｊ・・・コイル支持部  １２ｊｅ・・・外周面  １２ｊｔ・・・上面  １３・・・巻回部  １３ｂ・・・下面  １３ｔ・・・上面  １６・・・上側板ばね  １６ｂ・・・角部分  １６ｅ・・・外側部分  １６ｇ・・・弾性腕部  １６ｉ・・・内側部分  １６ｒ・・・桟部  １８・・・ベース部材  １８ｋ・・・開口  １８ｔ・・・突設部  ２６Ａ、２６Ｂ・・・下側板ばね  ２６ｃ・・・内側接合部分  ２６ｄ・・・外側接合部分  ２６ｅ・・・外側部分  ２６ｇ・・・弾性腕部  ２６ｈ・・・接続板部  ２６ｉ・・・内側部分  ２６ｋ・・・切欠部  ２６ｐ・・・第１連結部  ２６ｑ・・・第２連結部  ２６ｔ・・・貫通部  ２６ｘ・・・壁端面  ３０、３０−１〜３０−８・・溝部  ３３、３３Ａ、３３Ｂ・・・延在部  ３３ｃ・・・接続部  ３３ｋ・・・挿通部  ３３ｍ・・・巻き付け部  ３３ｒ・・・根本部分  ５２・・・フランジ部  ５２ｋ・・・切欠部  ５７・・・接続部材  ７２、７２Ａ、７２Ｂ・・・保持部  ８２・・・突堤部  ８２ｓ・・・収容部  ８２ｕ・・・内側壁部  ８２ｖ・・・外側壁部  ８２ｗ・・・側壁部  ８２ｚ・・・開放部  １０１・・・レンズ駆動装置  ＡＭ・・・接着剤  ＣＡ・・・導電性接着剤  ＣＳ、ＣＳ１〜ＣＳ６・・・断面形状  ＪＤ・・・光軸方向  ＭＫ・・・駆動機構  ＲＧ・・・固定側部材
【図１】
2019058817.tif 000003
【図２Ａ】
2019058817.tif 000004
【図２Ｂ】
2019058817.tif 000005
【図３Ａ】
2019058817.tif 000006
【図３Ｂ】
2019058817.tif 000007
【図４Ａ】
2019058817.tif 000008
【図４Ｂ】
2019058817.tif 000009
【図５Ａ】
2019058817.tif 000010
【図５Ｂ】
2019058817.tif 000011
【図６Ａ】
2019058817.tif 000012
【図６Ｂ】
2019058817.tif 000013
【図７Ａ】
2019058817.tif 000014
【図７Ｂ】
2019058817.tif 000015
【図８Ａ】
2019058817.tif 000016
【図８Ｂ】
2019058817.tif 000017
【図９Ａ】
2019058817.tif 000018
【図９Ｂ】
2019058817.tif 000019
【図１０Ａ】
2019058817.tif 000020
【図１０Ｂ】
2019058817.tif 000021
【図１１Ａ】
2019058817.tif 000022
【図１１Ｂ】
2019058817.tif 000023
【図１２Ａ】
2019058817.tif 000024
【図１２Ｂ】
2019058817.tif 000025
【図１３Ａ】
2019058817.tif 000026
【図１３Ｂ】
2019058817.tif 000027
【図１４Ａ】
2019058817.tif 000028
【図１４Ｂ】
2019058817.tif 000029
【図１４Ｃ】
2019058817.tif 000030
【図１４Ｄ】
2019058817.tif 000031
【図１５Ａ】
2019058817.tif 000032
【図１５Ｂ】
2019058817.tif 000033
【図１５Ｃ】
2019058817.tif 000034
【図１６Ａ】
2019058817.tif 000035
【図１６Ｂ】
2019058817.tif 000036
【図１６Ｃ】
2019058817.tif 000037
【国際調査報告】
2019058817.tif 000038
2019058817.tif 000039